(57)【要約】      （修正有）【課題】緊急時、停電時に一定時間、冷蔵庫を保持出来るくらいの電気が供給できるシステムを持ち運び出来る大きさのボックス内に構築した装置であり各家庭でも緊急時や停電時に一時的な対応が出来る冷蔵庫用バックアップシステムを提供する。【解決手段】通常時、システム内電源引き込み用差込コンセントＨから商用（家庭用）ＡＣ１００Ｖ電気を利用しシステム収納ボックスＧ内の直流バッテリーＣへ電気を蓄電しておき緊急時や停電時の際、蓄電してある直流バッテリーＣから代用電気をＤＣＡＣコンバーターＤや切替リレーＥを介し供給することにより一定時間、冷蔵庫内の保持が出来るので各家庭での困惑が無くなり且つシステムを適当なサイズのボックス内に構築することにより持ち運びができる為、各家庭での対応が簡単に出来るようになる。【選択図】図１
0003173915.tif 000002
【実用新案登録請求の範囲】
【請求項１】
システム収納ボックスＧ内に商用（家庭用）ＡＣ１００Ｖ電源をシステム内へ引き込むうえでの漏電ブレーカーＡ、直流バッテリーＣを充電する為のバッテリー充電器Ｂ、電気をためておく直流バッテリーＣ、直流電気を交流電気に変換するＤＣＡＣコンバーターＤ、商用（家庭用）１００Ｖ電源とバックアップ電源（バッテリー側から流れてくる電気）を切り替えるリレーＥとを接続設置し、システム収納ボックス外にはシステム内電源引き込み用差込コンセントＨ、電源供給用コンセントＦを設けシステム収納ボックスＧ内の漏電ブレーカーＡ、にはシステム内電源引き込み用差込コンセントＨを、商用（家庭用）ＡＣ１００Ｖ電源・バックアップ電源切替リレーＥには電源供給用コンセントＦを接続した持ち運びが出来る形状をしている、緊急時や停電時に電気が止まってしまった際、一時的に代用できる冷蔵庫用電力供給装置
【請求項２】
通常時はシステム内電源引き込み用差込コンセントＨから１００Ｖ電力を利用し、漏電ブレーカーＡをとおりバッテリー充電器Ｂを介して直流バッテリーＣに電気を蓄電しておく機能を有する請求項１に記載の冷蔵庫用電力供給装置
【請求項３】
緊急時、停電時には直流バッテリーＣに蓄電してある電気をＤＣＡＣコンバーターＤを介して家庭用ＡＣ１００Ｖ電気へと変換でき、商用（家庭用）ＡＣ１００Ｖ電源・バックアップ電源切替リレーＥを介し、電源供給用コンセントＦへと電気が流れる回路構造を有する請求項１に記載の冷蔵庫用電力供給装置
【請求項４】
通常時と緊急時、停電時の切り替えは商用（家庭用）ＡＣ１００Ｖ電源・バックアップ電源切替リレーＥにより行う
このリレーＥには直接漏電ブレーカーＡから入ってくる回路とＤＣＡＣコンバーターＤから入ってくる回路の２回路があり通常時と緊急時、停電時の認識をおこない切り替えができ、電気を供給する機能を有する請求項１に記載の冷蔵庫用電力供給装置
【考案の詳細な説明】
【考案の詳細な説明】
【０００１】本考案は緊急時、停電時に一定時間、冷蔵庫を保持出来るくらいの電気が供給できるシステムを持ち運び出来る大きさのボックス内に構築した装置であり各家庭でも緊急時や停電時に一時的な対応が出来るようになる
【背景技術】
【０００２】従来は緊急時や停電の際、各家庭ごとに対応することが出来ず、ただ電気の復旧を待つのみであった
【先行技術文献】
【特許文献】
【０００３】
【特許文献１】特許公表  ２００８−５４１６７９  名称  無停電電源回路
【考案の概要】
【考案が解決しようとする課題】
【０００４】従来は緊急時や停電時、各家庭ではただ電気の復旧を待つのみでその間、冷蔵庫内を保持する手段がなく冷蔵庫内の食品をいためてしまい困っていた
【課題を解決するための手段】
【０００５】普段からこの装置に電気をためておくことにより緊急時、停電時に一定時間この装置から冷蔵庫を保持するくらいの電気が供給でき、各家庭でも一時的な対応ができるようになる
【考案の効果】
【０００６】この装置を使うことにより緊急時、停電時に一定時間この装置から冷蔵庫を保持するくらいの電気が供給できるので各家庭でも冷蔵庫内の保持に困らず対応できるようになる
【図面の簡単な説明】
【０００７】
【図１】本考案  システム図
【考案を実施するための形態】
【０００８】簡単に持ち運びが出来るように適当なサイズのボックス内にシステムを構築
【符号の説明】
【０００９】Ａ＝  漏電ブレーカー            Ｂ＝  バッテリー充電器
Ｃ＝  直流バッテリー            Ｄ＝  ＤＣＡＣコンバーター
Ｅ＝  商用（家庭用）ＡＣ１００Ｖ電源・バックアップ電源切替リレー
Ｆ＝  電源供給用コンセント      Ｇ＝  システム収納ボックス
Ｈ＝  システム内電源引き込み用差込コンセント
【図１】
0003173915.tif 000003
【手続補正書】
【提出日】平成23年8月11日(2011.8.11)
【手続補正１】
【補正対象書類名】実用新案登録請求の範囲
【補正対象項目名】全文
【補正方法】変更
【補正の内容】
【実用新案登録請求の範囲】
【請求項１】
システム収納ボックＧ内に商用（家庭用）ＡＣ１００Ｖ電源をシステム内へ引き込むうえでの漏電ブレーカーＡ、直流バッテリーＣを充電するためのバッテリー充電器Ｂ、電気をためておく直流バッテリーＣ、直流電気を交流電気に変換するＤＣＡＣコンバーター（ＤＣＡＣインバーター）Ｄ、商用（家庭用）１００Ｖ電源とバックアップ電源（バッテリー側から流れてくる電気）を切り替えるリレーＥが設けられており、それぞれ図１のように、ＡとＢ、ＢとＣ、ＣとＤ、ＤとＥ、ＥとＡが接続設置し、システム収納ボックス外にはシステム内電源引き込み用差込コンセントＨ、電源供給用コンセントＦを設け、システム収納ボックスＧ内の漏電ブレーカーＡには、システム内電源引き込み用差込コンセントＨを、商用（家庭用）ＡＣ１００Ｖ電源・バックアップ電源切替えリレーＥには、電源供給用コンセントＦを接続した、持ち運びが出来る措置をとった形状をしている、緊急時や停電時に電気が止まってしまった際、一時的に代用できる冷蔵庫等家電用電力供給装置
【請求項２】
通常時はシステム内電源引き込み用差込コンセントＨから１００Ｖ電力を利用し、漏電ブレーカーＡをとおりバッテリー充電器Ｂを介して直流バッテリーＣに電気を蓄電しておく機能を有する請求項１に記載の冷蔵庫等家電用電力供給装置
【請求項３】
緊急時、停電時には直流バッテリーＣに蓄電してある電気をＤＣＡＣコンバーター（ＤＣＡＣインバーター）Ｄを介して家庭用ＡＣ１００Ｖ電気へと変換でき、商用（家庭用）ＡＣ１００Ｖ電源・バックアップ電源切替リレーＥを介し電源供給用コンセントＦへと電気が流れる回路構造を有する請求項１に記載の冷蔵庫等家電用電力供給装置
【請求項４】
通常時と緊急時、停電時の切り替えは商用（家庭用）ＡＣ１００Ｖ電源・バックアップ電源切替リレーＥにより行う
このリレーＥには直接漏電ブレーカーＡから入ってくる回路とＤＣＡＣコンバーター（ＤＣＡＣインバーター）Ｄから入ってくる回路の２回路があり通常時と緊急時、停電時の認識を行い切り替えができ、電気を一定時間供給する機能を有する請求項１に記載の冷蔵庫等家電用電力供給装置
【手続補正２】
【補正対象書類名】明細書
【補正対象項目名】全文
【補正方法】変更
【補正の内容】
【考案の詳細な説明】
【考案の詳細な説明】
【０００１】本考案は緊急時、停電時に一定時間、冷蔵庫等家電を保持出来るくらいの電気が供給できるシステムを持ち運び出来るような措置をとった、適当な大きさのボックス内に構築した装置であり各家庭でも緊急時や停電時に一時的な対応が出来るようになる
【背景技術】
【０００２】従来は緊急時や停電の際、各家庭ごとに対応することが出来ず、ただ電気の復旧を待つのみであった
【先行技術文献】
【特許文献】
【０００３】
【特許文献１】特許公表２００８−５４１６７９  名称  無停電電源回路
【考案の概要】
【考案が解決しようとする課題】
【０００４】従来は緊急時や停電時、各家庭ではただ電気の復旧を待つのみでその間冷蔵庫等家電を保持する手段がなく冷蔵庫内の食品をいためてしまう等、困っていた
【課題を解決するための手段】
【０００５】普段からこの装置に電気をためておくことにより緊急時、停電時に一定時間この装置から冷蔵庫等家電を保持するくらいの電気が供給でき、各家庭でも一時的な対応が出来るようになる
【考案の効果】
【０００６】この装置を使うことにより緊急時、停電時に一定時間この装置から冷蔵庫等家電を保持するくらいの電気が供給できるので各家庭でも冷蔵庫等家電の保持に困らず対応できるようになる
【図面の簡単な説明】
【０００７】
【図１】本考案システム図
【考案を実施するための形態】
【０００８】簡単に持ち運びが出来るような措置をとった適当なサイズのボックス内にシステムを構築
【符号の説明】
【０００９】Ａ＝漏電ブレーカー        Ｂ＝バッテリー充電器
Ｃ＝直流バッテリー        Ｄ＝ＤＣＡＣコンバーター（ＤＣＡＣインバーター）
Ｅ＝商用（家庭用）ＡＣ１００Ｖ電源・バックアップ電源切替リレー
Ｆ＝電源供給用コンセント  Ｇ＝システム収納ボックス
Ｈ＝システム内電源引き込み用差込コンセント
【手続補正書】
【提出日】平成23年11月20日(2011.11.20)
【手続補正１】
【補正対象書類名】実用新案登録請求の範囲
【補正対象項目名】全文
【補正方法】変更
【補正の内容】
【実用新案登録請求の範囲】
【請求項１】
システム収納ボックＧ内に商用家庭用ＡＣ１００Ｖ電源をシステム内へ引き込むうえでの漏電ブレーカーＡ、直流バッテリーＣを充電するためのバッテリー充電器Ｂ、電気をためておく直流バッテリーＣ、直流電気を交流電気に変換するＤＣＡＣコンバーター（ＤＣＡＣインバーター）Ｄ、商用家庭用１００Ｖ電源とバックアップ電源（バッテリー側から流れてくる電気）を切り替えるリレーＥが設けられており、前記漏電ブレーカーＡと前記バッテリー充電器Ｂ、前記バッテリー充電器Ｂと前記直流バッテリーＣ、前記直流バッテリーＣと前記ＤＣＡＣコンバーター（ＤＣＡＣインバーター）Ｄ、前記ＤＣＡＣコンバーター（ＤＣＡＣインバーター）Ｄと前記リレーＥ、前記リレーＥと前記漏電ブレーカーＡが接続設置し、システム収納ボックス外にはシステム内電源引き込み用差込コンセントＨ、電源供給用コンセントＦを設け、システム収納ボックスＧ内の前記漏電ブレーカーＡには、システム内電源引き込み用差込コンセントＨを、商用家庭用ＡＣ１００Ｖ電源・バックアップ電源切替えリレーＥには、電源供給用コンセントＦを接続した、持ち運びが出来る措置をとった形状をしている、緊急時や停電時に電気が止まってしまった際、一時的に代用できる冷蔵庫等家電用電力供給装置
【請求項２】
通常時はシステム内電源引き込み用差込コンセントＨから１００Ｖ電力を利用し、漏電ブレーカーＡをとおりバッテリー充電器Ｂを介して直流バッテリーＣに電気を蓄電しておく機能を有する請求項１に記載の冷蔵庫等家電用電力供給装置
【請求項３】
緊急時、停電時には直流バッテリーＣに蓄電してある電気をＤＣＡＣコンバーター（ＤＣＡＣインバーター）Ｄを介して家庭用ＡＣ１００Ｖ電気へと変換でき、商用家庭用ＡＣ１００Ｖ電源・バックアップ電源切替リレーＥを介し電源供給用コンセントＦへと電気が流れる回路構造を有する請求項１に記載の冷蔵庫等家電用電力供給装置
【請求項４】
通常時と緊急時、停電時の切り替えは商用家庭用ＡＣ１００Ｖ電源・バックアップ電源切替リレーＥにより行う
このリレーＥには直接漏電ブレーカーＡから入ってくる回路とＤＣＡＣコンバーター（ＤＣＡＣインバーター）Ｄから入ってくる回路の２回路があり通常時と緊急時、停電時の認識を行い切り替えができ、電気を一定時間供給する機能を有する請求項１に記載の冷蔵庫等家電用電力供給装置
【手続補正２】
【補正対象書類名】明細書
【補正対象項目名】全文
【補正方法】変更
【補正の内容】
【考案の詳細な説明】
【考案の詳細な説明】
【０００１】本考案は緊急時、停電時に一定時間、冷蔵庫等家電を保持出来るくらいの電気が供給できるシステムを持ち運び出来るような措置をとった、適当な大きさのボックス内に構築した装置であり各家庭でも緊急時や停電時に一時的な対応が出来るようになる
【背景技術】
【０００２】従来は緊急時や停電の際、各家庭ごとに対応することが出来ず、ただ電気の復旧を待つのみであった
【先行技術文献】
【特許文献】
【０００３】
【特許文献１】特許公表２００８−５４１６７９  名称  無停電電源回路
【考案の概要】
【考案が解決しようとする課題】
【０００４】従来は緊急時や停電時、各家庭ではただ電気の復旧を待つのみでその間冷蔵庫等家電を保持する手段がなく冷蔵庫内の食品をいためてしまう等、困っていた
【課題を解決するための手段】
【０００５】普段からこの装置に電気をためておくことにより緊急時、停電時に一定時間この装置から冷蔵庫等家電を保持するくらいの電気が供給でき、各家庭でも一時的な対応が出来るようになる
【考案の効果】
【０００６】この装置を使うことにより緊急時、停電時に一定時間この装置から冷蔵庫等家電を保持するくらいの電気が供給できるので各家庭でも冷蔵庫等家電の保持に困らず対応できるようになる
【図面の簡単な説明】
【０００７】
【図１】本考案システム図
【考案を実施するための形態】
【０００８】簡単に持ち運びが出来るような措置をとった適当なサイズのボックス内にシステムを構築
【符号の説明】
【０００９】Ａ＝漏電ブレーカー        Ｂ＝バッテリー充電器
Ｃ＝直流バッテリー        Ｄ＝ＤＣＡＣコンバーター（ＤＣＡＣインバーター）
Ｅ＝商用（家庭用）ＡＣ１００Ｖ電源・バックアップ電源切替リレー
Ｆ＝電源供給用コンセント  Ｇ＝システム収納ボックス
Ｈ＝システム内電源引き込み用差込コンセント